(57)【特許請求の範囲】
【請求項１】
複数の音楽装置にてそれぞれ生成されたオーディオ信号またはオーディオ信号生成用信号を入力し、同入力したオーディオ信号または同入力したオーディオ信号生成用信号に基づいて生成されたオーディオ信号をミキシングするミキサー装置において、
前記複数の音楽装置をスレーブとして機能させるとともに自身をマスターとして機能させて同複数の音楽装置との無線通信を可能とし、前記複数の音楽装置に対して前記オーディオ信号またはオーディオ信号生成用信号の送信をそれぞれ要求し、同送信要求に応答した前記複数の音楽装置からの前記オーディオ信号またはオーディオ信号生成用信号をそれぞれ受信する無線通信部と、
前記無線通信部にて受信したオーディオ信号または前記無線通信部にて受信したオーディオ信号生成用信号に基づいて生成したオーディオ信号をミキシングするミキシング部とを備えたミキサー装置。
【請求項２】
前記請求項１に記載したミキサー装置において、
前記無線通信部は、前記オーディオ信号またはオーディオ信号生成用信号をアイソクロナス通信方式で前記複数の音楽装置から受信するようにしたミキサー装置。
【請求項３】
前記請求項１または２に記載したミキサー装置において、さらに
前記ミキシング部にてミキシングされたオーディオ信号を前記無線通信部を介して前記複数の音楽装置に送信するミキシング信号送信手段を設けたミキサー装置。
【請求項４】
前記請求項３に記載したミキサー装置において、
前記無線通信部は、前記ミキシング部にてミキシングされたオーディオ信号を前記複数の音楽装置にブロードキャスト通信方式で送信するようにしたミキサー装置。
【請求項５】
前記請求項１ないし４のうちのいずれか一つに記載したミキサー装置において、さらに
前記複数の音楽装置との無線接続を確立した状態で前記複数の音楽装置との通信条件を設定する通信条件設定手段を設けたミキサー装置。
【請求項６】
前記請求項１ないし５のうちのいずれか一つに記載したミキサー装置において、さらに
前記複数の音楽装置とは異なる他の音楽装置に有線接続されていて、同他の音楽装置から出力されるオーディオ信号またはオーディオ信号を生成するためのオーディオ信号生成用信号を有線で入力する有線入力手段を設け、
前記ミキシング部を、前記無線通信部にて受信したオーディオ信号または前記無線通信部にて受信したオーディオ信号生成用信号に基づいて生成したオーディオ信号に加えて、前記有線入力手段にて入力したオーディオ信号または前記有線入力手段にて入力したオーディオ信号生成用信号に基づいて生成したオーディオ信号もミキシングするように構成したミキサー装置。
【請求項７】
前記請求項１ないし５のうちのいずれか一つに記載したミキサー装置において、さらに
前記複数の音楽装置とは独立してオーディオ信号を発生するオーディオ信号発生手段を設け、
前記ミキシング部を、前記無線通信部にて受信したオーディオ信号または前記無線通信部にて受信したオーディオ信号生成用信号に基づいて生成したオーディオ信号に加えて、前記オーディオ信号発生手段にて発生されたオーディオ信号もミキシングするように構成したミキサー装置。
【請求項８】
複数のオーディオ信号をミキシングするミキサー装置と無線通信可能に構成した音楽装置であって、
前記ミキシングされるオーディオ信号または前記ミキシングされるオーディオ信号を生成するためのオーディオ信号生成用信号を発生するミキシング用信号発生手段と、
前記ミキシング用信号発生手段から発生されたオーディオ信号またはオーディオ信号生成用信号を前記ミキサー装置に無線送信するとともに、前記無線送信したオーディオ信号または前記無線送信したオーディオ信号生成用信号に基づいて生成したオーディオ信号を含み、前記ミキサー装置にてミキシングされるとともに同ミキサー装置から無線送信されたミキシング信号を受信する無線通信部と、
前記無線通信部にて受信したオーディオ信号を再生する再生手段とを備えた音楽装置。
【請求項９】
複数の音楽装置から無線送信されたオーディオ信号またはオーディオ信号を生成するためのオーディオ信号生成用信号を受信する無線通信部を備え、前記無線通信部にて受信したオーディオ信号または前記無線通信部にて受信したオーディオ信号生成用信号に基づいて生成したオーディオ信号をミキシングするミキサー装置に適用されるコンピュータ読み取り可能なプログラムであって、
前記無線通信部を、
前記複数の音楽装置をスレーブとするマスターとして機能させて、
前記複数の音楽装置に対して前記オーディオ信号またはオーディオ信号生成用信号の送信を要求するように動作させ、かつ
同送信要求に応答した前記複数の音楽装置からの前記オーディオ信号またはオーディオ信号生成用信号を受信するように動作させるコンピュータ読み取り可能なプログラム。
【発明の詳細な説明】
【０００１】
【発明の属する技術分野】
本発明は、複数の音楽装置にてそれぞれ生成されたオーディオ信号またはオーディオ信号生成用信号を入力し、同入力したオーディオ信号または同入力したオーディオ信号生成用信号に基づいて生成されたオーディオ信号をミキシングするミキサー装置、および同ミキサー装置と無線通信可能な音楽装置に関する。
【０００２】
【従来の技術】
従来から、電子楽器、マイクロフォン装置などの複数の音楽装置からのオーディオ信号をミキシングして出力するミキサー装置はよく知られている。
【０００３】
【発明が解決しようとする課題】
しかし、上記従来のミキサー装置においては、複数の音楽装置とケーブルで接続されていたので、ケーブルの配線および結線が面倒であるとともに、各音楽装置やミキサー装置の配置もケーブルにより制限されてしまうという問題があった。
【０００４】
【発明の概要】
本発明は、上記問題に対処するためになされたもので、その目的は、ケーブルを用いることなく無線により、複数の音楽装置からオーディオ信号またはオーディオ信号生成用信号をミキサー装置に入力して、オーディオ信号またはオーディオ信号生成用に基づいて生成されたオーディオ信号をミキシングするようにしたミキサー装置を提供することにある。また、本発明の目的は、前記のようなミキサー装置と無線通信可能な音楽装置および同ミキサー装置に適用されるコンピュータ読み取り可能なプログラムを提供することにもある。
【０００５】
前記目的を達成するために、本発明の特徴は、複数の音楽装置にてそれぞれ生成されたオーディオ信号またはオーディオ信号生成用信号を入力し、同入力したオーディオ信号または同入力したオーディオ信号生成用信号に基づいて生成されたオーディオ信号をミキシングするミキサー装置において、複数の音楽装置をスレーブとして機能させるとともに自身をマスターとして機能させて同複数の音楽装置との無線通信を可能とし、複数の音楽装置に対してオーディオ信号またはオーディオ信号生成用信号の送信をそれぞれ要求し、同送信要求に応答した複数の音楽装置からのオーディオ信号またはオーディオ信号生成用信号をそれぞれ受信する無線通信部と、無線通信部にて受信したオーディオ信号または無線通信部にて受信したオーディオ信号生成用信号に基づいて生成したオーディオ信号をミキシングするミキシング部とを備えたことにある。
【０００６】
この場合、複数の音楽装置とミキサー装置との無線通信の手段としては、たとえばブルートゥース（Bluetooth）(登録商標)規格に従った無線通信装置を用いることができる。また、オーディオ信号生成用信号が音楽装置からミキサー装置に送信された場合には、ミキシング部に包含されているオーディオ信号生成部にてオーディオ信号生成用信号に基づいてオーディオ信号を生成し、同生成されたオーディオ信号をミキシングするようにするとよい。
【０００７】
これによれば、複数の音楽装置からのオーディオ信号またはオーディオ信号生成用信号は無線でミキサー装置に供給されるので、複数の音楽装置とミキサー装置とをケーブルで接続する必要がなくなり、ケーブルの配線および結線の手間を省くことができるとともに、各音楽装置およびミキサー装置の配置がケーブルによる制限を受けことなく自由になる。また、ミキサー装置は、オーディオ信号またはオーディオ信号生成用信号を複数の音楽装置から入力するものであるので、ミキサー装置をマスターとして機能させるとともに、複数の音楽装置をスレーブとして機能させるようにしたことにより、トラフィック（情報の転送）を効率的に管理できる。
【０００８】
また、本発明の他の特徴は、前記無線通信部を、オーディオ信号またはオーディオ信号生成用信号をアイソクロナス通信方式で複数の音楽装置から受信するように構成したことにある。この場合、アイソクロナス通信（Isochronous transfer）方式は、ＡＣＬリンク（Asynchronous Connection-less リンク）を用いたものである。これによれば、音楽装置の数が少なければ比較的高い通信レートでオーディオ信号またはオーディオ信号生成用信号を送ることができて、比較的遅れの少ない通信ができる。
【０００９】
また、本発明の他の特徴は、さらに、ミキシング部にてミキシングされたオーディオ信号を前記無線通信部を介して複数の音楽装置に送信するミキシング信号送信手段を設けたことにある。これによれば、複数のオーディオ信号のミキシング結果は各音楽装置へ無線で送られるので、各音楽装置の位置で前記ミキシング結果をモニターすることができる。
【００１０】
また、本発明の他の特徴は、前記無線通信部が、ミキシング部にてミキシングされたオーディオ信号を複数の音楽装置にブロードキャスト通信方式（同報通信方式）で送信するようにしたことにある。これによれば、複数のオーディオ信号のミキシング結果はブロードキャスト通信で送信されるので、トラフィック量を増大させることなく、トラフィックを効率的に管理できる。
【００１１】
また、本発明の他の特徴は、さらに、複数の音楽装置との無線接続を確立した状態で複数の音楽装置との通信条件を設定する通信条件設定手段を設けたことにある。この場合、通信条件とは、たとえば、ミキサー装置にオーディオ信号またはオーディオ信号生成用信号を入力する音楽装置の種類の選定、同各音楽装置からミキサー装置に供給される信号の種類（オーディオ信号またはオーディオ信号生成用信号）の選定、複数のオーディオ信号のミキサー結果を出力する音楽装置の選定などである。これによれば、ミキサー装置に供給される複数の音楽装置の組合せが変更されても、同変更に迅速に対応できる。
【００１２】
また、本発明の他の特徴は、さらに、複数の音楽装置とは異なる他の音楽装置に有線接続されていて、同他の音楽装置から出力されるオーディオ信号またはオーディオ信号を生成するためのオーディオ信号生成用信号を有線で入力する有線入力手段を設け、前記ミキシング部を、無線通信部にて受信したオーディオ信号または無線通信部にて受信したオーディオ信号生成用信号に基づいて生成したオーディオ信号に加えて、有線入力手段にて入力したオーディオ信号または有線入力手段にて入力したオーディオ信号生成用信号に基づいて生成したオーディオ信号もミキシングするように構成したことにある。
【００１３】
これによれば、ミキサー装置と無線通信不能な音楽装置が存在しても、同音楽装置とミキサー装置とを有線接続すれば、この有線接続された音楽装置からのオーディオ信号または同音楽装置からのオーディオ信号生成用信号に基づいて生成したオーディオ信号も、ミキサー装置にてミキシングが可能となる。その結果、このミキサー装置を種々の音楽装置に適用できるようになる。
【００１４】
また、本発明の他の特徴は、さらに、前記複数の音楽装置とは独立してオーディオ信号を発生するオーディオ信号発生手段を設け、前記ミキシング部を、無線通信部にて受信したオーディオ信号または無線通信部にて受信したオーディオ信号生成用信号に基づいて生成したオーディオ信号に加えて、オーディオ信号発生手段にて発生されたオーディオ信号もミキシングするように構成したことにある。これによれば、より多くのオーディオ信号をミキシングできて、豊かな音楽を実現できる。
【００１５】
また、本発明の他の特徴は、複数のオーディオ信号をミキシングするミキサー装置と無線通信可能に構成した音楽装置であって、ミキシングされるオーディオ信号またはミキシングされるオーディオ信号を生成するためのオーディオ信号生成用信号を発生するミキシング用信号発生手段と、ミキシング用信号発生手段から発生されたオーディオ信号またはオーディオ信号生成用信号をミキサー装置に無線送信するとともに、前記無線送信したオーディオ信号または前記無線送信したオーディオ信号生成用信号に基づいて生成したオーディオ信号を含み、ミキサー装置にてミキシングされるとともに同ミキサー装置から無線送信されたミキシング信号を受信する無線通信部と、無線通信部にて受信したオーディオ信号を再生する再生手段とを備えたことにある。
【００１６】
この場合も、ミキサー装置と音楽装置との無線通信の手段としては、たとえばブルートゥース規格に従った無線通信装置を用いることができる。また、オーディオ信号生成用信号が音楽装置からミキサー装置に送信された場合には、ミキシング部に包含されているオーディオ信号生成部にてオーディオ信号生成用信号に基づいてオーディオ信号を生成し、同生成されたオーディオ信号をミキシングするようにするとよい。
【００１７】
これによっても、音楽装置とミキサー装置とをケーブルで接続する必要がなくなり、ケーブルの配線および結線の手間を省くことができるとともに、音楽装置およびミキサー装置の配置がケーブルによる制限を受けことなく自由になる。また、音楽装置は、ミキサー装置において複数のオーディオ信号のミキシング結果を入力するとともに再生するので、音楽装置の位置で前記ミキシング結果をモニターすることができる。
【００１８】
また、本発明の他の特徴は、ミキシング装置および音楽装置に適用されて、ミキシング装置および音楽装置にて前述の機能を実現するようにしたコンピュータ読み取り可能なプログラムにもある。これによれば、無線通信機能を備えたミキシング装置および音楽装置に前述の各種機能を簡単に具備させることができる。
【００１９】
【発明の実施の形態】
以下、本発明の一実施形態を図面を用いて説明すると、図１は、同実施形態に係るネットワークをブロック図により示している。
【００２０】
このネットワークは、複数の音楽装置１０〜３０と、これらの音楽装置１０〜３０とそれぞれ無線通信可能なミキサー装置４０とにより構成されている。音楽装置１０〜３０は、楽音信号のようなオーディオ信号を生成したり、このオーディオ信号の生成のために用いられるキーオン信号、キーオフ信号、音色制御信号、音量制御信号などのオーディオ信号生成用信号（例えば、ＭＩＤＩデータ）を生成したりする。ミキサー装置４０は、複数の音楽装置１０〜３０からのオーディオ信号またはオーディオ信号生成用信号を入力して、オーディオ信号またはオーディオ信号生成用信号に基づいて生成したオーディオ信号をミキシングして出力するものである。
【００２１】
これらの音楽装置１０〜３０およびミキサー装置４０は、それぞれ無線通信部として、ブルートゥース通信規格に従って互いの無線通信を可能とするブルートゥース（Bluetooth：登録商標）・モジュール１１，２１，３１，４１をそれぞれ備えている。ブルートゥース通信規格に従った無線通信は、周波数ホッピング型のスペクトル拡散方式を用いて、複数の機器間のデータ交信を実現するものである。また、このブルートゥース通信規格を用いた無線通信においては、一つのマスターと一つ以上のスレーブとからなる無線ネットワークいわゆるピコネットが構成され、同一のピコネット内に属するブルートゥース・モジュールは、周波数軸と時間軸において同期した状態にある。
【００２２】
さらに、ブルートゥース通信規格においては、ＳＣＯ（Synchronous Connection-Oriented）リンクと、ＡＣＬ（Asynchronous Connection-Less）リンクとの２種類の通信リンクが設定により使い分けられる。また、このＡＣＬリンクにおける通信は、非同期通信方式、アイソクロナス通信方式（Isochronous Transfer）およびブロードキャスト通信方式（同報通信方式）のいずれかに設定される。
【００２３】
なお、本実施形態においては、上記ブルートゥース通信規格の特徴のうちで、一つのマスターと複数のスレーブとからなるピコネット構成、ＡＣＬリンクにおけるアイソクロナス通信方式およびブロードキャスト通信方式を採用することを特徴としている。したがって、本発明には、ブルートゥース通信規格に従わなくても、前記特徴を有する通信規格に従った種々の無線通信技術を適用できる。
【００２４】
前記図１のネットワークについて、音楽装置１０〜３０の具体例を上げて、図２の機能ブロック図を用いてさらに詳細に説明する。なお、図示実線矢印はオーディオ信号を示し、図示破線矢印はＭＩＤＩデータを示している。
【００２５】
音楽装置１０は、電子楽器で構成されていて、ＭＩＤＩデータを生成出力する。この音楽装置１０はＭＩＤＩデータを発生するＭＩＤＩデータ発生器１２を備え、ＭＩＤＩデータ発生器１２から発生されたＭＩＤＩデータは、ブルートゥース・モジュール１１によってミキサー装置４０に無線送信される。一方、ミキサー装置４０から無線送信されたオーディオ信号はブルートゥース・モジュール１１によって受信され、デコーダ１３およびＤ／Ａ変換器１４を介してサウンドシステム１５に供給される。デコーダ１３は、ミキサー装置４０にてエンコード（圧縮）されたオーディオ信号をデコード（解凍）して出力する。また、音楽装置１０はマイクロコンピュータ１６を含んでおり、マイクロコンピュータ１６は音楽装置１０内の各種機能をプログラム処理によって実現する。
【００２６】
音楽装置２０も、電子楽器で構成されていて、ディジタル楽音信号（オーディオ信号）を生成出力する。この音楽装置２０は、ＭＩＤＩデータを発生するＭＩＤＩデータ発生器２２および前記発生されたＭＩＤＩデータに基づいてディジタル楽音信号（オーディオ信号）を生成して出力する音源回路２３を備えている。このディジタル楽音信号は、エンコーダ２４によってエンコード（圧縮）されて、ブルートゥース・モジュール２１によってミキサー装置４０に無線送信される。一方、ミキサー装置４０から無線送信されたオーディオ信号はブルートゥース・モジュール２１によって受信され、デコーダ２５およびＤ／Ａ変換器２６を介してサウンドシステム２７に供給される。デコーダ２５も、ミキサー装置４０にてエンコード（圧縮）されたオーディオ信号をデコード（解凍）して出力する。また、この場合も、音楽装置２０はマイクロコンピュータ２８を含んでおり、マイクロコンピュータ２８は音楽装置２０内の各種機能をプログラム処理によって実現する。
【００２７】
音楽装置３０は、マイクロフォン装置で構成されていて、人間の声、楽器音などの音響信号を音響／電気変換によりオーディオ信号に変換して出力するマイクロフォン３２を備えている。このマイクロフォン３２にて変換されたオーディオ信号は、Ａ／Ｄ変換器３３によってディジタル・オーディオ信号に変換される。そして、この変換されたディジタル・オーディオ信号はエンコーダ３４によってエンコード（圧縮）されて、ブルートゥース・モジュール３１によってミキサー装置４０に無線送信される。一方、ミキサー装置４０から無線送信されたオーディオ信号はブルートゥース・モジュール３１によって受信され、デコーダ３５およびＤ／Ａ変換器３６を介してサウンドシステム３７に供給される。デコーダ３５も、ミキサー装置４０にてエンコード（圧縮）されたオーディオ信号をデコード（解凍）して出力する。また、この場合も、音楽装置３０はマイクロコンピュータ３８を含んでおり、マイクロコンピュータ３８は音楽装置３０内の各種機能をプログラム処理によって実現する。
【００２８】
ミキサー装置４０は、音楽装置１０〜３０からそれぞれ無線送信された、ＭＩＤＩデータ、ディジタル楽音信号およびディジタル・オーディオ信号を受信するブルートゥース・モジュール４１を備えている。これらの受信されたＭＩＤＩデータ、ディジタル楽音信号およびディジタル・オーディオ信号は、それぞれ音源回路４２ａ、デコーダ４３ａおよびデコーダ４３ｂにそれぞれ出力される。音源回路４２ａは、ＭＩＤＩデータに基づいてディジタル楽音信号（オーディオ信号の一種）を生成して出力する。デコーダ４３ａ，４３ｂは、音楽装置２０，３０にてそれぞれエンコード（圧縮）されたディジタル楽音信号およびディジタル・オーディオ信号をデコード（解凍）して出力する。
【００２９】
音源回路４２ａおよびデコーダ４３ａ，４３ｂには、特性制御回路４４ａ〜４４ｃがそれぞれ接続されている。特性制御回路４４ａ〜４４ｃは、供給されるディジタル楽音信号およびディジタル・オーディオ信号に、コンプレッサ処理、リミッター処理、イコライザ処理などをそれぞれ施して出力する。コンプレッサ処理とは、入力された信号のダイナミックレンジを変更する処理である。リミッター処理とは、入力された信号の最大レベルを抑える処理である。イコライザ処理は、入力信号の周波数特性を変更する処理である。
【００３０】
特性制御回路４４ａ〜４４ｃの各出力には、レベル設定回路４５ａ〜４５ｃが接続されている。レベル設定回路４５ａ〜４５ｃは、入力した信号レベルを種々に変更して出力する。レベル設定回路４５ａ〜４５ｃの出力は、加算合成回路４６ａ〜４６ｃに入力されている。加算合成回路４６ａ〜４６ｃは、それぞれレベル設定回路４５ａ〜４５ｃからの信号を選択出力するゲート回路と、前段の加算合成回路（図示左側に位置する加算合成回路）からの加算結果と前記ゲート回路から選択出力される信号を加算して、後段の加算合成回路（図示右側に位置する加算合成回路）に出力する。
【００３１】
また、ミキサー装置４０は、外部の音楽装置１０〜３０とは無関係に独立してＭＩＤＩデータを出力するＭＩＤＩデータ発生器４７および前記発生されたＭＩＤＩデータに基づいてディジタル楽音信号（オーディオ信号の一種）を生成して出力する音源回路４２ｂを備えている。音源回路４２ｂから出力されたディジタル楽音信号は、前記特性制御回路４４ａ〜４４ｃおよびレベル設定回路４５ａ〜４５ｃと同様に構成した特性制御回路４４ｄおよびレベル設定回路４５ｄを介して加算合成回路４６ｄに出力される。
【００３２】
最終段の加算合成回路４６ｄの出力は、レベル設定回路５１に入力される。レベル設定回路５１は、入力した信号レベルを種々に変更して出力する。レベル設定回路５１の出力は、ディジタル信号をアナログ信号に変換するＤ／Ａ変換器５２を介して、サウンドシステム５３に接続されている。
【００３３】
また、レベル設定回路４５ａ〜４５ｄの各出力は、前記加算合成回路４６ａ〜４６と同様に構成した加算合成回路５４ａ〜５４ｄにも接続されている。なお、加算合成回路５４ａ〜５４ｄにおいては、前段の加算合成回路は図示右側に位置するものに相当し、後段の加算回路は図示左側に位置するものに相当する。そして、最終段の加算合成回路５４ａの出力は、エンコーダ５５によってエンコード（圧縮）されて、ブルートゥース・モジュール４１によって音楽装置１０〜３０にそれぞれ出力される。さらに、ミキサー装置４０はマイクロコンピュータ５６を含んでおり、マイクロコンピュータ５６はミキサー装置４０内の各種機能をプログラム処理によって実現する。
【００３４】
次に、前記音楽装置１０，２０として利用される電子楽器およびミキサー装置４０として利用される電子楽器機能内蔵型のミキサー装置の一具体例について、図３を用いて説明する。
【００３５】
この種の装置は、複数の鍵からなる鍵盤６１と、操作パネルに設けられたパネル操作子群６２およびディスプレイ６３を備えている。各鍵は楽音信号の発生を指示するもので、その押離鍵はバス６０に接続された検出回路６４により検出される。パネルスイッチ群６２は、主としてディスプレイ６３における表示と関連して操作され、発生される楽音信号のピッチずれ、音色、音量などの楽音要素、同楽音信号に付与される効果、複数の楽音信号のミキシング状態、自動伴奏音の発生、自動演奏音の再生など、この装置における各種機能を選択または制御する。これらのパネル操作子群６２の操作は、バス６０に接続された検出回路６５により検出される。ディスプレイ６３は、バス６０に接続された表示回路６６の制御のもとに、この装置における各種機能の選択および設定のために記号、文字などを表示する。
【００３６】
また、バス６０には、ＣＰＵ７１、タイマ７２、ＲＯＭ７３、ＲＡＭ７４および外部記憶装置７５も接続されている。ＣＰＵ７１は、タイマ７２およびＲＡＭ７４との協働により、ＲＯＭ７３、ＲＡＭ７４または外部記憶装置７５に記憶されている図４,５に示すプログラムを含む各種プログラムを実行して、この装置の各種機能を実現する。外部記憶装置３４は、ハードディスクＨＤ、フレキシブルディスクＦＤ、コンパクトディスクＣＤ、光ディスクＭＯ、ディジタルビデオディスクＤＶＤ，半導体メモリなどの比較的大容量の記録媒体と、同各記録媒体に対するドライブユニットを含むものである。これらの記録媒体には、各種プログラム、楽音信号を生成および同生成された楽音信号を制御するための各種制御データ、楽音信号の発生を制御するための制御データ（ＭＩＤＩデータからなる自動演奏データ）など、この装置の各種機能の実現に利用される各種データが記憶されている。
【００３７】
また、バス６０には、ＭＩＤＩインターフェース回路７６およびブルートゥース・モジュール７７も接続されている。ＭＩＤＩインターフェース回路７６は、有線接続された電子楽器、シーケンサなどの他の音楽装置７８からＭＩＤＩデータを入力するとともに、同他の音楽装置７８にＭＩＤＩデータを出力する。ブルートゥース・モジュール７７は、無線接続された電子楽器、シーケンサ、マイクロフォン装置などの他の音楽装置に内蔵されたブルートゥース・モジュール７９からオーディオ信号およびＭＩＤＩデータを受信するとともに、同他の音楽装置に内蔵されたブルートゥース・モジュール７９へオーディオ信号およびＭＩＤＩを送信する。
【００３８】
さらに、バス６０には、音源回路８１およびミキシング回路８２も接続されている。音源回路８１は、バス６０を介して入力されたキーオン、キーオフなどを表す制御信号（ＭＩＤＩデータ）に応じて楽音信号を生成してミキシング回路８２に出力する。この場合、前記制御信号（ＭＩＤＩデータ）は、鍵盤６１における演奏操作および自動演奏による外部記憶装置７５に記憶されていた楽曲データの再生によって供給される。また、音源回路８１には、他のＭＩＤＩ機器７８から有線でＭＩＤＩインターフェース回路７６に供給されるＭＩＤＩデータおよび他のブルートゥース・モジュール７９から無線でブルートゥース・モジュール７７に供給されるＭＩＤＩデータもバス６０を介して供給される。
【００３９】
ミキシング回路８２は、音源回路８１から供給される複数系列のディジタル楽音信号を各系列ごとに異なるチャンネルにて入力し、各チャンネルごとに楽音信号の特性およびレベルを制御した後に、複数の楽音信号をミキシングする。ミキシング回路８２には、他の音楽装置８４と有線接続されたオーディオ入力回路８３も接続されている。オーディオ入力回路８３は、他の音楽装置（電子楽器、自動演奏装置、マイクロフォン装置など）からオーディオ信号を有線で入力して、ミキシング回路８２に出力する。また、ミキシング回路８２には、他のブルートゥース・モジュール７９から無線送信されて、ブルートゥース・モジュール７７にて受信したオーディオ信号もバス６０を介して入力される。ミキシング回路８２は、オーディオ入力回路８３およびブルートゥース・モジュール７７からのオーディオ信号も前記楽音信号とは異なるチャンネルにてそれぞれ入力し、各チャンネルにてオーディオ信号の特性およびレベルを制御し、前記音源回路８１からのディジタル楽音信号にミキシングする。
【００４０】
ミキシング回路８２の出力は、Ｄ／Ａ変換器８５に接続されている。Ｄ／Ａ変換器８５は、ミキシング回路からのディジタル・オーディオ信号をアナログ・オーディオ信号に変換して、サウンドシステム８６に出力する。サウンドシステム８６は、アンプ８６ａ，８６ｂ、スピーカ８６ｃおよびヘッドフォン８６ｄからなる。
【００４１】
ここで、図２の音楽装置１０，２０およびミキサー装置４０と、前記図３のように構成した音楽装置との関係について説明しておく。まず、図２の音楽装置１０と図３の音楽装置との関係について説明すると、図２のＭＩＤＩデータ発生器１２は、図３の鍵盤６１の演奏による演奏データを出力する装置および外部記憶装置７５に記憶された楽曲データ中の演奏データを再生する装置に対応、すなわち図３の鍵盤６１、検出回路６４、ＣＰＵ７１、外部記憶装置７５などに対応する。図２のブルートゥース・モジュール１１、Ｄ／Ａ変換器１４およびサウンドシステム１５は、図３のブルートゥース・モジュール７７、Ｄ／Ａ変換器８５およびサウンドシステム８６にそれぞれ対応する。図２のデコーダ１３は、図３のブルートゥース・モジュール７７にて受信したオーディオ信号をプログラム処理によってデコードする装置、すなわちＣＰＵ７１、ＲＡＭ７４などに対応する。図２のマイクロコンピュータ１６は、図３のＣＰＵ７１、タイマ７２、ＲＯＭ７３、ＲＡＭ７４および外部記憶装置７５に対応する。
【００４２】
図２の音楽装置２０と図３の音楽装置との関係について説明すると、図２のＭＩＤＩデータ発生器１２は、図３の鍵盤６１の演奏による演奏データを出力する装置、外部記憶装置７５に記憶された楽曲データ中の演奏データを再生する装置、ＭＩＤＩデータを外部から入力する装置など、すなわち図３の鍵盤６１、検出回路６４、ＣＰＵ７１、外部記憶装置７５、ＭＩＤＩインターフェース回路７６、ブルートゥース・モジュール７７などに対応する。図２の音源回路２３は、演奏データ、ＭＩＤＩデータなどに応じて楽音信号を生成する装置、すなわち図３の音源回路８１に対応する。図２のブルートゥース・モジュール２１、デコーダ２５、Ｄ／Ａ変換器２６、サウンドシステム２７およびマイクロコンピュータ２８は、前述した図２のブルートゥース・モジュール１１、デコーダ１３、Ｄ／Ａ変換器１４、サウンドシステム１５およびマイクロコンピュータ１６の場合と同様である。
【００４３】
図２のミキサー装置４０と図３の音楽装置との関係について説明すると、図２のＭＩＤＩデータ発生器４７は、図３の鍵盤６１の演奏による演奏データを出力する装置および外部記憶装置７５に記憶された楽曲データ中の演奏データを再生する装置に対応、すなわち図３の鍵盤６１、検出回路６４、ＣＰＵ７１、外部記憶装置７５などに対応する。図２の音源回路４２ａ，４２ｂは、演奏データ、ＭＩＤＩデータなどに応じて楽音信号を生成する装置、すなわち図３の音源回路８１に対応する。図２のデコーダ４３ａ，４３ｂは、図３のブルートゥース・モジュール７７にて受信したオーディオ信号をプログラム処理によってデコードする装置、すなわちＣＰＵ７１、ＲＡＭ７４などに対応する。図２のエンコーダ５５は、図３のブルートゥース・モジュール７７へ出力するオーディオ信号をプログラム処理によってエンコードする装置、すなわちＣＰＵ７１、ＲＡＭ７４などに対応する。
【００４４】
特性制御回路４４ａ〜４４ｄ、レベル設定回路４５ａ〜４５，５１、加算合成回路４６ａ〜４６ｄ，５４ａ〜５４ｄは、オーディオ信号の特性をプログラム処理によって制御する装置、オーディオ信号のレベルをプログラム処理によって制御する装置およびオーディオ信号をプログラム処理によって加算合成する装置、すなわちパネルスイッチ群６２、検出回路６５、ＣＰＵ７１、ＲＡＭ７４、ミキシング回路８２などに対応する。図２のブルートゥース・モジュール４１、Ｄ／Ａ変換器５２およびサウンドシステム５３は、図３のブルートゥース・モジュール７７、Ｄ／Ａ変換器８５およびサウンドシステム８６にそれぞれ対応する。図２のマイクロコンピュータ５６は、図３のＣＰＵ７１、タイマ７２、ＲＯＭ７３、ＲＡＭ７４および外部記憶装置７５に対応する。
【００４５】
また、図２の音楽装置（マイクロフォン装置）３０の具体例については図示しないが、この音楽装置３０におけるサウンドシステム３７は、図３に示すようなサウンドシステム８６に対応するもので、スピーカおよびヘッドフォンを含む。また、図２のマイクロコンピュータ装置３８は、図３のＣＰＵ７１、タイマ７２、ＲＯＭ７３、ＲＡＭ７４および外部記憶装置７５と同様な回路で構成される。
【００４６】
次に、上記ような構成の音楽装置１０〜３０およびミキサー装置４０の動作を図４，５のフローチャートに沿って説明する。これらの音楽装置１０〜３０およびミキサー装置４０においては、音楽装置１０〜３０がスレーブとなり、かつミキサー装置４０がマスターとなるように、各装置１０〜４０のブルートゥース・モジュール１１，２１，３１，４１が予め設定されている。そして、互いにデータの送受信が可能な所定エリア内において各装置１０〜４０の電源が投入されると、各ブルートゥース・モジュール１１，２１，３１，４１間でＡＣＬリンクが確立される。あるいは、既に電源が投入された状態で各装置１０〜４０が所定エリア内に移動されると、各ブルートゥース・モジュール１１，２１，３１，４１間でＡＣＬリンクを確立される。この場合、マスターとなるミキサー装置４０の電源を最初に投入しておき、その後スレーブとなる各音楽装置１０〜３０の電源を投入（あるいはスレーブをマスターと通信可能なエリア内に移動）される。これは、マスターとなるブルートゥース・モジュールが存在しないと、ピコネット接続が確立されないからである。このようにして、マイクロコンピュータ１６，２８，３８，５６は、ステップＳ１０，Ｓ２０，Ｓ３０，Ｓ４０の処理により、ブルートゥース・モジュール１１，２１，３１、４１の前記ＡＣＬリンクを確立する。
【００４７】
次に、音楽装置１０〜３０およびミキサー装置４０との間の信号の送受信条件が設定される。この場合、ユーザは、音楽装置１０〜３０およびミキサー装置４０のディスプレイ６３を見ながらパネルスイッチ群６２を操作する。以下、上述した図２の場合を例にして、前記送受信条件の設定について説明する。ミキサー装置４０においては、マイクロコンピュータ５６によるステップＳ４１の処理により，下記表１に示すように、受信条件として、ミキシングにおけるチャンネル、入力ソースおよび入力信号の種類が設定される。また、同ステップＳ４１においては、送信条件として、下記表２に示すミキシング結果の出力先も設定される。
【００４８】
【表１】
0003707430.tif 000002
【００４９】
【表２】
0003707430.tif 000003
【００５０】
音楽装置１０〜３０においては、マイクロコンピュータ１６，２８，３８によるステップＳ１１，Ｓ２１，Ｓ３１の処理により，下記表３に示すように、送信条件として、出力先および出力信号の種類が設定される。また、これらのステップＳ１１，Ｓ２１，Ｓ３１の処理においては、受信条件として、下記表４に示すモニタ入力ソースも設定される。
【００５１】
【表３】
0003707430.tif 000004
【００５２】
【表４】
0003707430.tif 000005
【００５３】
前記ステップＳ４１の処理後、マイクロコンピュータ５６は、ステップＳ４２にて、接続されているスレーブ数、送受信信号の種類（ＭＩＤＩ／オーディオ信号）などに応じてデータの通信条件を設定するとともに、送受信するオーディオ信号のエンコード条件を設定する。具体的には、接続されているスレーブの数が多いときはエンコード時のオーディオ信号のクオリティを低くしたり（クオリティが低ければ、１チャンネルあたりのデータ量が少なくなるので、同時に送受信できるチャンネルを増やすことができる）、逆にスレーブ数が少ないときはエンコード時のクオリティを高くしたりする（同時に送受信するチャンネルが少なければ、１チャンネルあたりのデータ量を多くすることができ、エンコードのクオリティを高くして送受信可能となる）。あるいは、送受信信号としてＭＩＤＩが含まれているときはエンコード時のオーディオ信号のクオリティを高くしたりする（ＭＩＤＩは送受信するデータ量が少ないので、その分をオーディオ信号のデータ送受信に割り振ることでオーディオ信号の質を高くする）。いずれにしても、接続されているスレーブの数や送受信信号の種類に応じて、最大限クオリティの高いオーディオデータの送受信ができるようにエンコード条件を可変に設定する。
【００５４】
そして、ステップＳ４３にて、エンコード条件をブルートゥース・モジュール４１を介して音楽装置１０〜３０に送信する。音楽装置１０〜３０においては、前記送信されたエンコード条件がブルートゥース・モジュール１１，２１，３１を介してマイクロコンピュータ１６，２８，３８に取り込まれる。そして、以降、デコーダ１３，２５，３５，４３ａ，４３ｂおよびエンコーダ２４，３４，５５におけるデコード動作およびエンコード動作が前記エンコード条件に従って制御されるようになる。
【００５５】
このような各種条件の設定後、音楽装置１０において、マイクロコンピュータ１６によるステップＳ１２の処理により、ＭＩＤＩデータがＭＩＤＩデータ発生器１２から発生されると、ブルートゥース・モジュール１１はこのＭＩＤＩデータを一時的に記憶する。
【００５６】
また、音楽装置２０においては、マイクロコンピュータ２８によるステップＳ２２の処理により、ＭＩＤＩデータがＭＩＤＩデータ発生器２２から発生されると、ステップＳ２３の処理により、音源回路２３にて前記ＭＩＤＩデータに基づいてディジタル楽音信号が生成される。このディジタル楽音信号は、ステップＳ２４の処理により、エンコーダ２４にてエンコードされてブルートゥース・モジュール２１に供給され、ブルートゥース・モジュール２１は前記エンコードされたディジタル楽音信号を一時的に記憶する。
【００５７】
さらに、音楽装置３０においては、マイクロフォン３２に人間の声、楽器音などのオーディオ信号が入力されると、このオーディオ信号はＡ／Ｄ変換器３３にてＡ／Ｄ変換される。そして、マイクロコンピュータ２８によるステップＳ３２の処理により、このＡ／Ｄ変換されたディジタル・オーディオ信号は、エンコーダ３４にてエンコードされてブルートゥース・モジュール３１に供給され、ブルートゥース・モジュール３１は前記エンコードされたディジタル楽音信号を一時的に記憶する。
【００５８】
この状態で、マイクロコンピュータ５６によるステップＳ４４の処理より、ミキサー装置４０から音楽装置１０にデータ送信が要求されると、音楽装置１０は、マイクロコンピュータ１６のステップＳ１３の処理により、前記ブルートゥース・モジュール１１に一時的に記憶したＭＩＤＩデータをミキサー装置４０に送信する。ミキサー装置４０は、この送信されたＭＩＤＩデータをブルートゥース・モジュール４１にて受信する。
【００５９】
ミキサー装置４０においては、ステップＳ４５の処理により、ブルートゥース・モジュール４１にて受信したＭＩＤＩデータが音源回路４２ａに送られる。そして、音源回路４２ａは、このＭＩＤＩデータに基づいてディジタル楽音信号を生成する。
【００６０】
また、マイクロコンピュータ５６によるステップＳ４６の処理より、ミキサー装置４０から音楽装置２０にデータ送信が要求されると、音楽装置２０は、マイクロコンピュータ２８のステップＳ２４の処理により、前記ブルートゥース・モジュール２１に一時的に記憶したエンコードされたディジタル楽音信号をミキサー装置４０に送信する。ミキサー装置４０は、この送信されたディジタル楽音信号をブルートゥース・モジュール４１にて受信する。そして、この楽音信号は、ステップＳ４７の処理により、デコーダ４３ａにてデコードされる。
【００６１】
また、マイクロコンピュータ５６によるステップＳ４８の処理より、ミキサー装置４０から音楽装置３０にデータ送信が要求されると、音楽装置３０は、マイクロコンピュータ３８のステップＳ３３の処理により、前記ブルートゥース・モジュール１１に一時的に記憶したエンコードされたディジタル・オーディオ信号をミキサー装置４０に送信する。ミキサー装置４０は、この送信されたディジタル・オーディオ信号をブルートゥース・モジュール４１にて受信する。そして、このディジタル・オーディオ信号は、ステップＳ４９の処理により、デコーダ４３ｂにてデコードされる。
【００６２】
さらに、ミキサー装置４０において、マイクロコンピュータ５６による図５のステップＳ５０の処理により、ＭＩＤＩデータがＭＩＤＩデータ発生器４７から発生されると、ステップＳ５１の処理により、音源回路４２ｂにて前記ＭＩＤＩデータに基づいてディジタル楽音信号が生成される。
【００６３】
次に、前記生成およびデコードされたディジタル楽音信号およびディジタル・オーディオ信号は、ステップＳ５２の処理により、音源回路４２ａ，４２ｂおよびデコーダ４３ａ、４３ｂからミキシング回路を構成する特性制御回路４４ａ〜４４ｄに供給される。特性制御回路４４ａ〜４４ｄは、音源回路４２ａ、デコーダ４３ａ，４３ｂおよび音源回路４２ｂからのディジタル楽音信号およびディジタル・オーディオ信号の特性をそれぞれ独立して制御して、レベル設定回路４５ａ〜４５ｄにそれぞれ出力する。レベル設定回路４５ａ〜４５ｄは、特性の制御された各ディジタル楽音信号および各ディジタル・オーディオ信号の音量レベルをそれぞれ独立して制御し、加算合成回路４６ａ〜４６ｄにそれぞれ出力する。
【００６４】
加算合成回路４６ａ〜４６ｄは、これらのディジタル楽音信号およびディジタル・オーディオ信号を加算合成して、同合成したディジタル・オーディオ信号をレベル設定回路５１を介してＤ／Ａ変換器５２に出力する。Ｄ／Ａ変換器５２は、このディジタル・オーディオ信号をアナログ・オーディオ信号に変換してサウンドシステム５３に供給する。そして、サウンドシステム５３が前記アナログ・オーディオ信号を発音する。
【００６５】
一方、前記レベル設定回路４５ａ〜４５ｄからのディジタル楽音信号およびディジタル・オーディオ信号は加算合成回路５４ａ〜５４ｄにもそれぞれ供給され、同加算合成回路５４ａ〜５４ｄは、これらのディジタル楽音信号およびディジタル・オーディオ信号を加算合成して出力する。
【００６６】
そして、マイクロコンピュータ５６によるステップＳ５３の処理により、前記ディジタル楽音信号およびディジタル・オーディオ信号を加算合成したディジタル・オーディオ信号はエンコーダ５５にてエンコードされて、ブルートゥース・モジュール４１に一時的に記憶される。このブルートゥース・モジュール４１に一時的に記憶されたディジタル・オーディオ信号は、ステップＳ５４の処理により、同モジュール４１から音楽装置１０〜３０にそれぞれブロードキャスト通信方式（同報通信方式）で送信される。
【００６７】
音楽装置１０〜３０は、前記送信されたディジタル・オーディオ信号をブルートゥース・モジュール１１〜３１にてそれぞれ受信する。そして、マイクロコンピュータ１６，２８，３８によるステップＳ１４，Ｓ２６，Ｓ３４の処理により、前記受信されたディジタル・オーディオ信号はデコーダ１３，２５，３５にてそれぞれデコードされる。これらのデコードされたディジタル・オーディオ信号は、Ｄ／Ａ変換器１４，２６，３６にてそれぞれアナログ・オーディオ信号に変換される。そして、これらのアナログ・オーディオ信号はサウンドシステム１５，２７，３７に供給されて発音される。
【００６８】
前記ステップＳ１４，Ｓ２６，Ｓ３４，Ｓ５４の処理後、マイクロコンピュータ１６，２８，３８，５６は、ステップＳ１２，Ｓ２２，Ｓ３２，Ｓ４２にそれぞれ戻り、前述したステップＳ１２，Ｓ２２，Ｓ３２，Ｓ４２〜ステップＳ１４，Ｓ２６，Ｓ３４，Ｓ５４の処理を繰返し実行して、上述したオーディオ信号のミキシング動作を実行し続ける。
【００６９】
上記作動説明からの理解できるように、上記実施形態によれば、複数の音楽装置１０〜３０からのオーディオ信号（楽音信号を含む）およびＭＩＤＩデータは、無線でミキサー装置４０に供給されるので、複数の音楽装置１０〜３０とミキサー装置４０とをケーブルで接続する必要がなくなり、ケーブルの配線および結線の手間を省くことができるとともに、各音楽装置１０〜３０およびミキサー装置４０の配置がケーブルによる制限を受けことなく自由になる。
【００７０】
また、ミキサー装置４０は、オーディオ信号およびＭＩＤＩデータを複数の音楽装置１０〜３０から入力するものであるので、ミキサー装置４０をマスターとして機能させるとともに、複数の音楽装置１０〜３０をスレーブとして機能させるようにしたことにより、トラフィック（情報の転送）を効率的に管理できる。具体的には、ブルートゥースのピコネット接続において、データの送受信は必ずマスターとスレーブとの間で通信を行なっている。このため、仮にあるスレーブから他のスレーブへとデータを送信する場合は一旦あるスレーブからマスターへとデータを送信し、その後、マスターから他のスレーブへとデータを送信する必要がある。あるスレーブを音楽装置、他のスレーブをミキサー装置４０にした場合を仮定すると、音楽装置１０〜３０から送信されたデータは一旦マスターにて受信され、その後マスターからミキサー装置４０へと送信されることになるが、このようにすると一つのデータを２回送らなければならず、通信トラフィックが増大してしまうとともに、データが届くまでの時間遅延も増大してしまう。ところが、ミキサー装置４０をマスターとすると、スレーブである各音楽装置１０〜３０から一度のデータ送信でミキサー装置４０へとデータが送信されるので、通信トラフィックの増大および時間遅延の増大を防ぐことができる。
【００７１】
しかも、ミキサー装置４０は、オーディオ信号およびＭＩＤＩデータをアイソクロナス通信方式で複数の音楽装置１０〜３０から受信するように構成したので、オーディオ信号およびＭＩＤＩデータを比較的高い通信レートで送信できて、比較的遅れの少ない通信ができる。具体的には、ブルートゥースのピコネット接続においては、前述したとおりＳＣＯリンクとＡＣＬリンクとがある。ＳＣＯリンクは、一定の通信速度（６４kbps）が確保されたリアルタイム音声通信に適した最大３チャンネルの通信リンクである。一方、ＡＣＬリンクは、通信速度がデータトラフィック等により変化する本来なら音声通信には向いていない通信リンクである。一見、ＳＣＬリンクの方がミキサー装置４０に適しているように思われるが、ＡＣＬリンクは最大７チャンネル、最大の通信速度も高く（例えば、最大４３２．６kbps）、高音質のオーディオデータを送信可能であり、しかもＡＣＬリンクの中にも非同期通信方式、アイソクロナス通信方式およびブロードキャスト通信方式があって、このうちのアイソクロナス通信方式は比較的時間遅延が少ない方式である。したがって、本実施形態においては、この通信速度で、比較的遅延の少ないＡＣＬリンクのアイソクロナス通信方式を採用することで比較的能力の高いミキサー装置４０を実現した。なお、高能力を要求しなければ、ＳＣＯリンクを採用して最大３チャンネルのミキサー装置４０を実現してもよい。
【００７２】
また、各音楽装置１０〜３０は、ミキサー装置４０にてミキシングされたオーディオ信号を受信して再生するので、複数のオーディオ信号のミキシング結果が各音楽装置１０〜３０の位置でモニターすることができる。この場合のオーディオ信号の送信は、ブロードキャスト通信方式（同報通信方式）で行なわれるので、トラフィック量を増大させることなく、トラフィックを効率的に管理できる。具体的には、ブロードキャスト通信方式はデータを受信したスレーブ側がデータを受信した旨をマスターに返送する必要がなく、しかも一度に複数のスレーブに対して同一のデータを送信できるので、トラフィック効率を高くすることができる。なお、各スレーブにおいてデータを受信した旨をマスターに返送しなことにより、確実にデータが届く保証はなくなるが、ミキシング結果の確認程度であれば、多少のデータの損失は問題にはならない。この場合、データ損失に基づくノイズ発生を防ぐため、データ平滑化のためのフィルタを用いるとよい。
【００７３】
また、このようなミキサー装置４０と音楽装置１０〜３０との通信条件は、ステップＳ１０、Ｓ１１，Ｓ２０，Ｓ２１，Ｓ３０，Ｓ３１，Ｓ４０，Ｓ４１の処理より設定されるので、ミキサー装置４０と複数の音楽装置１０〜３０の組合せが変更されても、同変更に迅速に対応できる。
【００７４】
さらに、上記図２の機能ブロック図を用いた作動説明では具体的に説明しなかったが、ミキサー装置４０には、図３に示すように、他の音楽装置８４からオーディオ入力回路８３に有線でオーディオ信号を入力することもでき、このオーディオ信号をミキシングすることも可能である。また、ミキサー装置４０には、図３に示すように、他の音楽装置７８からＭＩＤＩデータを有線で入力することもでき、このＭＩＤＩデータに基づいて音源回路８１で生成したオーディオ信号をミキシングすることも可能である。したがって、無線通信手段を有さない他の音楽装置によるオーディオ信号およびＭＩＤＩデータに基づくオーディオ信号もミキサー装置４０でミキシングでき、より多くのオーディオ信号をミキシングできて、豊かな音楽を実現できる。
【００７５】
なお、上記実施形態においては、ミキサー装置４０に３個の音楽装置１０〜３０を接続するようにしたが、ミキサー装置４０に接続される音楽装置の数はこれに限らず、他の数であってもよい。具体的には、上記実施形態のようにブルートゥース・モジュールを無線通信手段として利用する場合、現在のブルートゥース・バージョン１．０のピコネットは最大７つのスレーブを持つことができるので、７個の音楽装置をスレーブとしてミキサー装置４０に無線接続可能である。ただし、スレーブの数が多くなると、ミキサー装置４０と各スレーブとの間のデータ転送レートが低くなり、音質が低下するので、３，４個程度の音楽装置をミキサー装置４０に接続することが望ましい。しかし、今後のブルートゥース技術の進歩により、データ転送レートが高くなれば、ミキサー装置４０に接続される音楽装置の数が増えても高音質でのミキシングが可能である。
【００７６】
また、音楽装置１０〜３０として、電子楽器およびマイクロフォン装置を採用するようにしたが、オーディオ信号またはオーディオ信号生成用信号の送信可能な音楽装置であれば、いかなる装置を音楽装置として採用してもよいし、その組合せも自由にできる。
【００７７】
また、上記実施形態においては、ミキサー装置４０に２個の音源回路４２ａ、４２ｂおよび２個のデコーダ４３ａ，４３ｂを用いた場合についてのみ説明したが、音源回路およびデコーダの数も自由に設定できる。また、音楽装置１０〜３０とは独立してＭＩＤＩデータを発生するＭＩＤＩデータ発生器４７に関しても、その数を増加させてもよい。
【００７８】
また、上記実施形態では、電子楽器機能を備えたミキサー装置４０、すなわち楽音信号を発生する音源回路４２ａ，４２ｂを内蔵したミキサー装置４０を採用した。しかし、ミキサー装置４０としては、電子楽器機能を備えておらず、オーディオ信号のみを受信してミキシングするミキサー装置を採用することもできる。
【００７９】
また、電子楽器、マイクロフォン装置などの音楽装置１０〜３０からＭＩＤＩデータやオーディオ信号をミキサー装置４０が受信し、オーディオ信号をミキシングしている間に、新たなスレーブである音楽装置がピコネットの通信範囲内に入ってきたときは、この音楽装置をピコネットに加え、前記オーディオ信号のミキシングにも参加させるようにしてもよい。このとき、ミキサー装置４０において予め設定されたスレーブである音楽装置であればピコネットに加え、それ以外の場合にはピコネットに加えないようにするのがよい。また、オーディオ信号をミキシングしている間に、一つまたは複数の音楽装置（スレーブ）がピコネットの通信範囲から外れたとき、あるいは同音楽装置の電源が切られたときは、ピコネットから外すようにするとよい。
【００８０】
また、各チャンネルのデータ送受信時間遅延を吸収するため、所定時間分のオーディオデータを蓄積するバッファを設け（例えば、各特性制御回路４４の前段に設け）、各チャンネルのデータを同期させて出力するようにしてもよい。このようにすると、多少の時間遅延は発生するものの、データ送信時間遅延があっても、音が途切れることがなくなる。
【００８１】
また、上記実施形態においては、音楽装置１０，２０として鍵盤を有する電子楽器を採用するようにした。しかし、鍵盤以外の演奏操作子を有する電子楽器、例えば弦楽器タイプ、管楽器タイプ、打楽器タイプ等の電子楽器を採用することもできる。
【００８２】
さらに、本発明の実施にあたっては、上記実施形態及びその変形例に限定されるものではなく、本発明の目的を逸脱しない限りにおいて種々の変形も可能である。
【図面の簡単な説明】
【図１】  本発明の一実施形態に係るネットワークを示すブロック図である。
【図２】  図１のネットワークをより詳細に示す機能ブロック図である。
【図３】  図１および図２の音楽装置（電子楽器）およびミキサー装置の具体例を示すブロック図である。
【図４】  図１および図２のミキサー装置および音楽装置にて実行されるリンク設定およびデータの送受信に関係するプログラムの前半部分を示すフローチャートである。
【図５】  同プログラムの後半部分を示すフローチャートである。
【符号の説明】
１０〜３０…音楽装置、４０…ミキサー装置、１１，２１，３１，４１…ブルートゥース・モジュール、１２，２２，４７…ＭＩＤＩデータ発生器、１５，２７，３７，５３…サウンドシステム、１６，２８，３８，５６…マイクロコンピュータ、２３，４２ａ，４２ｂ…音源回路、３２…マイクロフォン、４４ａ〜４４ｄ…特性制御回路、４５ａ〜４５ｄ，５１…レベル設定回路、４６ａ〜４６ｄ，５４ａ〜５４ｄ…加算合成回路。
【図１】
0003707430.tif 000006
【図２】
0003707430.tif 000007
【図３】
0003707430.tif 000008
【図４】
0003707430.tif 000009
【図５】
0003707430.tif 000010